(57)【要約】  本発明は、ユーザ端末が位置する少なくとも１のセルを提供する通信ネットワークノードにより構成される通信ネットワークシステムにおいて、無線インタフェースを介して地震および／または津波警報メッセージを送受信する通信ネットワークノード、ユーザ端末、通信ネットワークノードおよびユーザ端末における方法に関する。ＥＴＷＳ一次通知メッセージはページング要求メッセージ内で送信される。【選択図】図２
2011521531.tif 000002
【特許請求の範囲】
【請求項１】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードによる方法であって、
地震および／または津波の一次通知警報メッセージの送信要求を受信するステップと；
前記地震および／または津波の一次通知警報メッセージをページング要求メッセージにおいて送信するステップと；
を含むことを特徴とする、方法。
【請求項２】
前記地震および／または津波の一次通知警報メッセージを複数のページング要求メッセージに区分するステップをさらに含み、
各区分をどのような順序でも受信できるように各ページング要求メッセージに含まれる前記地震および／または津波の一次通知警報メッセージの量は一定にされることを特徴とする、請求項１に記載の方法。
【請求項３】
前記ユーザ端末に、前記地震および／または津波の一次通知警報メッセージの情報を含む前記ページング要求メッセージの受信のために、追加的なページンググループを受信するトリガとなる制御メッセージを送信するステップをさらに含むことを特徴とする、請求項１または２に記載の方法。
【請求項４】
前記警報メッセージに関する情報は、前記ページング要求メッセージのレストオクテット内に含まれることを特徴とする、請求項１〜３のいずれか一項に記載の方法。
【請求項５】
前記地震および／または津波警報メッセージが進行中であることを示すモバイル識別子を前記ページング要求メッセージに設定するステップをさらに含むことを特徴とする、請求項１〜４のいずれか一項に記載の方法。
【請求項６】
ユーザ端末が位置する少なくとも１のセルを提供する通信ネットワークノードにより構成される通信ネットワークシステムにおいて、無線インタフェースを介して地震および／または津波警報メッセージを受信するユーザ端末による方法であって、
ページンググループを受信するステップと；
ページング要求メッセージ内の地震および／または津波の一次通知警報メッセージを受信するステップと；
を含むことを特徴とする、方法。
【請求項７】
前記地震および／または津波の一次通知警報メッセージの少なくとも一部を受信した場合に連続受信モードに移行するステップをさらに含むことを特徴とする、請求項６に記載の方法。
【請求項８】
制御メッセージを受信するステップと；
前記地震および／または津波の一次通知警報メッセージに関する情報を含む前記ページング要求メッセージを受信するための追加的なページンググループを受信するステップと；
をさらに含む、請求項６または７に記載の方法。
【請求項９】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードによる方法であって、
地震および／または津波の一次通知警報メッセージの送信要求を受信するステップと；
前記地震および／または津波の一次通知警報メッセージを送信する無線チャネルの割当を含む緊急割当メッセージを送信するステップと；
前記地震および／または津波警報メッセージを送信するステップと；
を含むことを特徴とする、方法。
【請求項１０】
ページング要求メッセージが送信される場合、前記ページング要求メッセージを送信するステップと；
レガシー緊急割当メッセージが送信される場合、進行中の地震および／または津波警報メッセージのインジゲーションを含む追加的なページンググループを前記ユーザ端末に受信させるページモードＩＥを「拡張ページング」に設定するステップと；
を含むことを特徴とする、請求項９に記載の方法。
【請求項１１】
前記地震および／または津波警報メッセージが進行中であることを示すモバイル識別子を前記ページング要求メッセージに設定するステップをさらに含むことを特徴とする、請求項１０に記載の方法。
【請求項１２】
前記無線チャネルの割当に関する情報は前記ページング要求メッセージのレストオクテット内に含まれることを特徴とする、請求項９〜１１のいずれか一項に記載の方法。
【請求項１３】
前記地震および／または津波の一次通知警報メッセージが分散メッセージとして送信される場合、
前記ユーザ端末が受信順序に関係なく受信メッセージを格納できるように、警報情報のサイズおよび警報メッセージのシーケンス番号を含めて、前記地震および／または津波の一次通知警報メッセージを区分するステップをさらに含むことを特徴とする、請求項９〜１２のいずれか一項に記載の方法。
【請求項１４】
ユーザ端末が位置する少なくとも１のセルを提供する通信ネットワークノードにより構成される通信ネットワークシステムにおいて、無線インタフェースを介して地震および／または津波警報メッセージを受信するユーザ端末による方法であって、
ページンググループを受信するステップと；
地震および／または津波一次通知警報メッセージが送信される無線チャネルの割当を含む緊急割当メッセージを受信するステップと；
前記無線チャネルに切り替えるステップと；
前記地震および／または津波警報メッセージを受信するステップと；
を含むことを特徴とする、方法。
【請求項１５】
前記通信ネットワークノードからページング要求メッセージが送信された場合にページング要求メッセージを受信するステップと；
そうでなければ、前記ユーザ端末に追加的なページンググループを受信させる拡張ページングを含むレガシーの緊急割当メッセージを受信するステップと；
をさらに含むことを特徴とする、請求項１４に記載の方法。
【請求項１６】
前記地震および／または津波警報メッセージが進行中であることを示すように設定されたモバイル識別子を含む前記ページング要求メッセージを受信するステップをさらに含むことを特徴とする、請求項１５に記載の方法。
【請求項１７】
前記モバイル識別子を受信した場合に連続受信モードに移行するステップをさらに含むことを特徴とする、請求項１６に記載の方法。
【請求項１８】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードによる方法であって、
地震および／または津波一次通知警報メッセージの送信要求を受信するステップと；
前記地震および／または津波一次通知警報メッセージを制御チャネル上で送信するステップと；
を含むことを特徴とする、方法。
【請求項１９】
ユーザ端末が位置する少なくとも１のセルを提供する通信ネットワークノードにより構成される通信ネットワークシステムにおいて、無線インタフェースを介して地震および／または津波警報メッセージを受信するユーザ端末による方法であって、地震および／または津波一次通知警報メッセージを制御チャネル上で受信するステップを含むことを特徴とする、方法。
【請求項２０】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードであって、
地震および／または津波一次通知警報メッセージの送信要求を受信する通信部と；
前記地震および／または津波一次通知警報メッセージの送信要求をページング要求メッセージ内で送信する送信部と；
処理部と；
を備えることを特徴とする、通信ネットワークノード。
【請求項２１】
ユーザ端末が位置する少なくとも１のセルを提供する通信ネットワークノードにより構成される通信ネットワークシステムにおいて、無線インタフェースを介して地震および／または津波警報メッセージを受信するユーザ端末であって、
前記ユーザ端末は、
ページンググループを受信するように構成され、
地震および／または津波一次通知警報メッセージをページング要求メッセージ内で受信する受信部を備えることを特徴とする、ユーザ端末。
【請求項２２】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードであって、
地震および／または津波一次通知警報メッセージの送信要求を受信する通信部と；
地震および／または津波一次通知警報メッセージが送信される無線チャネルの割当を含む緊急割当メッセージを送信し、前記地震および／または津波警報メッセージを送信する送信部と；
処理部と；
を備えることを特徴とする、通信ネットワークノード。
【請求項２３】
ユーザ端末が位置する少なくとも１のセルを提供する通信ネットワークノードにより構成される通信ネットワークシステムにおいて、無線インタフェースを介して地震および／または津波警報メッセージを受信するユーザ端末であって、
前記ユーザ端末は、
ページンググループを受信するように構成され、
地震および／または津波一次通知警報メッセージが送信される無線チャネルの割当を含む緊急割当メッセージを受信する受信部を備え、
前記無線チャネルに切替え、
前記受信部が前記地震および／または津波警報メッセージを受信するように構成されることを特徴とする、ユーザ端末。
【請求項２４】
ユーザ端末が位置する少なくとも１のセルを提供する通信ネットワークノードにより構成される通信ネットワークシステムにおいて、無線インタフェースを介して地震および／または津波警報メッセージを前記ユーザ端末に送信する通信ネットワークノードであって、
地震および／または津波一次通知警報メッセージの送信要求を受信する通信部と；
前記地震および／または津波一次通知警報メッセージを制御チャネル上で送信する送信部と；
を備えることを特徴とする、通信ネットワークノード。
【請求項２５】
ユーザ端末が位置する少なくとも１のセルを提供する通信ネットワークノードにより構成される通信ネットワークシステムにおいて、無線インタフェースを介して地震および／または津波警報メッセージを受信するユーザ端末であって、
地震および／または津波一次通知警報メッセージを制御チャネル上で受信する受信部を備えることを特徴とする、ユーザ端末。
【発明の詳細な説明】
【技術分野】
【０００１】
本発明は、通信システムにおける方法及び構成に関し、特に、地震および津波警報を送受信する構成およびそのような送受信のための方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＧＥＲＡＮ（ＧＳＭ  Ｅｄｇｅ  Ｒａｄｉｏ  Ａｃｃｅｓｓ  Ｎｅｔｗｏｒｋ）標準化において、来る地震および／または津波についての通知をユーザ端末（ＵＥ：Ｕｓｅｒ  Ｅｑｕｉｐｍｅｎｔ）に迅速に送信することを可能とするＥＴＭＳ（Ｅａｒｔｈｑｕａｋｅ  Ｔｓｕｎａｍｉ  Ｗａｒｎｉｎｇ  Ｓｙｓｔｅｍ）のサポートを導入するための取り組みが進められている。
【０００３】
一次通知メッセージはユーザ端末に４秒以内に到達することが要求される。一次通知は、特にＥＴＷＳにおいてユーザに数分よりむしろ数秒内に最も差し迫った事体を通知するために用いられる情報である。二次通知は、ＥＴＷＳにおいて何をすべきか、どこに助けを求めるべきかなどの指示のように、緊急度の低い補足情報をユーザに通知するために用いられる情報である。
【０００４】
混乱を引き起こすフェイクメッセージが受信されることを避けるために、一次通知に認証情報を含めることが最も必要とされるだろう。議論されている選択肢は、デジタル署名（例えば、ＤＳＡ署名を用いる場合には４１バイト）の形式で認証情報を用いることである。このため、一次通知メッセージのサイズは、ＧＥＲＡＮにおける１のＣＣＣＨ（Ｃｏｍｍｏｎ  Ｃｏｎｔｒｏｌ  Ｃｈａｎｎｅｌ）制御メッセージよりも大きくなるだろう。
【０００５】
ＧＥＲＡＮで議論されている既存の提案は、進行中のＥＴＷＳ警報を知らせるために、ＰＣＨ（Ｐａｇｉｎｇ  Ｃｈａｎｎｅｌ）上のページモードＩＥ（Ｉｎｆｏｒｍａｔｉｏｎ  ｅｌｅｍｅｎｔ）の既存の「以前と変わらない（ｓａｍｅ  ａｓ  ｂｅｆｏｒｅ）」値、およびＡＧＣＨ（Ａｃｃｅｓｓ  Ｇｒａｎｔ  Ｃｈａｎｎｅｌ）上の既存のメッセージを用いることを基礎とする。この設定は、ユーザ端末にＣＢＣＨ（Ｃｅｌｌ  Ｂｒｏａｄｃａｓｔ  Ｃｈａｎｎｅｌ）を受信させるトリガとなるだろう。また、ページモードＩＥの設定は全てのページンググループに所定量の時間にわたって送信され（全てのページンググループに到達させるため）、ユーザ端末は、自身のページンググループをいつ受信すべきかのインジケーションを受信するだろう。そして、ＥＴＷＳ一次通知は、ネットワークによりＣＢＣＨ上で送信される。
【発明の概要】
【発明が解決しようとする課題】
【０００６】
しかし、上記で提案された解決策にはいくつかの問題がある。ユーザ端末がＣＢＣＨの受信を開始し（ＰＣＨ／ＡＧＣＨ上でインジケーションを受信した後）、ＣＢＣＨで全てのメッセージを受信することは、ほとんどのシステム構成においてユーザ端末がＥＴＷＳ一次通知を４秒以内に受信することを阻むだろう。ＣＢＣＨメッセージは高頻度で送信されず、３ＧＰＰ＿ＴＳ＿４５．００２＿ＳＭＳＣＢ（Ｓｈｏｒｔ  Ｍｅｓｓａｇｅ  Ｓｅｒｖｉｃｅ  Ｃｅｌｌ  Ｂｒｏａｄｃａｓｔ）によれば、ノーマルＣＢＣＨのみが利用される場合にはヘッダーは〜１．８８秒ごと（ＴＢ＝０；ＴＢ＝（ＦＮ  ＤＩＶ  ５１）ｍｏｄ（８）の場合）に送信され、ノーマルＣＢＣＨおよび拡張ＣＢＣＨが利用される場合には〜０．９４秒ごと（ＴＢ＝０またはＴＢ＝４；ＴＢ＝（ＦＮ  ＤＩＶ  ５１）ｍｏｄ（８）の場合）に送信される。さらに、ＣＢＣＨメッセージが損失した場合には受信時間は大幅に増加するだろう。
【０００７】
そこで、本発明の実施形態の１つの目的は、ユーザ端末が位置する少なくとも１のセルを提供する通信ネットワークノードにより構成される通信ネットワークシステムにおいて、無線インタフェースを介して地震および／または津波警報メッセージを送信するための改良された方法、通信ネットワークノードおよびユーザ端末を提供することである。
【課題を解決するための手段】
【０００８】
第１の観点によれば、この目的は、
・地震および／または津波の一次通知警報メッセージの送信要求を受信するステップ；
・前記地震および／または津波の一次通知警報メッセージをページング要求メッセージにおいて送信するステップと；
により地震および／または津波警報メッセージが送信されること定める請求項１の特徴的部分に記載の通信ネットワークによる方法により達成される。
【０００９】
第２の観点によれば、この目的は、
・地震および／または津波の一次通知警報メッセージの送信要求を受信するステップと；
・前記地震および／または津波の一次通知警報メッセージを送信する無線チャネルの割当を含む緊急割当メッセージを送信するステップと；
・前記地震および／または津波警報メッセージを送信するステップと；
により地震および／または津波警報メッセージが送信されること定める請求項９の特徴的部分に記載の通信ネットワークによる方法により達成される。
【００１０】
第３の観点によれば、この目的は、
・地震および／または津波一次通知警報メッセージの送信要求を受信するステップと；
・前記地震および／または津波一次通知警報メッセージを制御チャネル上で送信するステップと；
により地震および／または津波警報メッセージが送信されること定める請求項１８の特徴的部分に記載の通信ネットワークによる方法により達成される。
【００１１】
第４の観点によれば、この目的は、
・地震および／または津波一次通知警報メッセージの送信要求を受信する通信部と；
・前記地震および／または津波一次通知警報メッセージの送信要求をページング要求メッセージ内で送信する送信部と；
を備える通信ネットワークノードにより地震および／または津波警報メッセージが送信されること定める請求項２０の特徴的部分に記載の通信ネットワークにより達成される。
【００１２】
第５の観点によれば、この目的は、
・地震および／または津波一次通知警報メッセージの送信要求を受信する通信部と；
・地震および／または津波一次通知警報メッセージが送信される無線チャネルの割当を含む緊急割当メッセージを送信し、前記地震および／または津波警報メッセージを送信する送信部と；
を備える通信ネットワークノードにより地震および／または津波警報メッセージが送信されること定める請求項２２の特徴的部分に記載の通信ネットワークにより達成される。
【００１３】
第６の観点によれば、この目的は、
・地震および／または津波一次通知警報メッセージの送信要求を受信する通信部と；
・前記地震および／または津波一次通知警報メッセージを制御チャネル上で送信する送信部と；
を備える通信ネットワークノードにより地震および／または津波警報メッセージが送信されること定める請求項２４の特徴的部分に記載の通信ネットワークにより達成される。
【００１４】
本発明の実施形態による他の目的は、ユーザ端末が位置する少なくとも１のセルを提供する通信ネットワークノードにより構成される通信ネットワークシステムにおいて、無線インタフェースを介して地震および／または津波警報メッセージを受信するための改良された方法、通信ネットワークノード、およびユーザ端末を提供することである。
【００１５】
第１の観点によれば、この他の目的は、
・ページンググループを受信するステップと；
・ページング要求メッセージ内の地震および／または津波の一次通知警報メッセージを受信するステップと；
により地震および／または津波警報メッセージが受信されること定める請求項６の特徴的部分に記載のユーザ端末による方法により達成される。
【００１６】
第２の観点によれば、この他の目的は、
・ページンググループを受信するステップと；
・地震および／または津波一次通知警報メッセージが送信される無線チャネルの割当を含む緊急割当メッセージを受信するステップと；
・前記無線チャネルに切り替えるステップと；
・前記地震および／または津波警報メッセージを受信するステップと；
により地震および／または津波警報メッセージが受信されること定める請求項１４の特徴的部分に記載のユーザ端末による方法により達成される。
【００１７】
第３の観点によれば、この他の目的は、地震および／または津波一次通知警報メッセージを制御チャネル上で受信するステップにより地震および／または津波警報メッセージが受信されること定める請求項１９の特徴的部分に記載のユーザ端末による方法により達成される。
【００１８】
第４の観点によれば、この他の目的は、ページンググループを受信するように構成され、地震および／または津波一次通知警報メッセージをページング要求メッセージ内で受信する受信部を備えるユーザ端末によって地震および／または津波警報メッセージが受信されること定める請求項２１の特徴的部分に記載のユーザ端末により達成される。
【００１９】
第５の観点によれば、この他の目的は、ページンググループを受信するように構成され、地震および／または津波一次通知警報メッセージが送信される無線チャネルの割当を含む緊急割当メッセージを受信する受信部を備え、前記無線チャネルに切替え、前記受信部が前記地震および／または津波警報メッセージを受信するように構成されるユーザ端末によって地震および／または津波警報メッセージが受信されること定める請求項２３の特徴的部分に記載のユーザ端末により達成される。
【００２０】
第６の観点によれば、この他の目的は、地震および／または津波一次通知警報メッセージを制御チャネル上で受信する受信部を備えるユーザ端末によって地震および／または津波警報メッセージが受信されること定める請求項２５の特徴的部分に記載のユーザ端末により達成される。
【００２１】
さらなる実施形態は従属請求項に記載される。
【発明の効果】
【００２２】
送受信手順が改良された上記方法、通信ネットワークノードおよびユーザ端末の提供によれば、ユーザ端末にＥＴＷＳ一次通知メッセージを４秒以内に到達させることができる。
【００２３】
本発明の他の目的、効果および新規な特徴は、添付の図面および特許請求の範囲と併せて後述の本発明の詳細な説明を考慮することにより明らかになるだろう。
【図面の簡単な説明】
【００２４】
【図１】移動通信ネットワークのブロック図の一例である。
【図２】本発明の第１の実施形態による無線基地局における発明手順を示したフローチャートである。
【図３】本発明の第１の実施形態によるユーザ端末における発明手順を示したフローチャートである。
【図４】本発明の第２の実施形態による無線基地局における発明手順を示したフローチャートである。
【図５】本発明の第２の実施形態によるユーザ端末における発明手順を示したフローチャートである。
【図６】ユーザ端末および発明的な通信ネットワークノードの簡略化されたブロック図である。
【発明を実施するための形態】
【００２５】
図１に、３ＧＰＰ＿ＧＳＭシステムネットワークのブロック図を示す。このネットワークは、ＲＡＮ（Ｒａｄｉｏ  Ａｃｃｅｓｓ  Ｎｅｔｗｏｒｋ）、本発明の好ましい実施形態ではＧＥＲＡＮ（ＧＳＭ／ＥＤＧＥ  Ｒａｄｉｏ  Ａｃｃｅｓｓ  Ｎｅｔｗｏｒｋ）１、およびＣＮ（Ｃｏｒｅ  Ｎｅｔｗｏｒｋ）１０を備える。ＧＥＲＡＮ１およびＣＮ１０は複数のユーザ端末２に通信および制御を提供する。
【００２６】
ＧＥＲＡＮアーキテクチャ１は、一組のＢＴＳ（Ｂａｓｅ  Ｔｒａｎｓｃｉｅｖｅｒ  Ｓｔａｔｉｏｎｓ）８（または、無線基地局）に接続されたＢＳＣ（Ｂａｓｅ  Ｓｔａｔｉｏｎ  Ｃｏｎｔｒｏｌｌｅｒ）６により制御される複数のＢＳＳ（Ｂａｓｅ  Ｓｔａｔｉｏｎ  Ｓｙｓｔｅｍ）５を備える。ＢＴＳ８は、ユーザ端末２と通信するために必要なアンテナ、ＲＦ機器、およびベースバンド処理回路を有する。
【００２７】
ＣＮ１０は、典型的には、少なくとも１のＳＧＳＮ（Ｓｅｒｖｉｎｇ  ＧＰＲＳ  ＳＵｐｐｏｒｔ  Ｎｏｄｅ）１２、１または２以上のＧＧＳＮ（Ｇａｔｅｗａｙ  ＧＰＲＳ  Ｓｕｐｐｏｒｔ  Ｎｏｄｅ）１８、ＶＬＲ（Ｖｉｓｉｔｏｒ  Ｌｏｃａｔｉｏｎ  Ｒｅｇｉｓｔｅｒ）（図１に示さず。）を含み得る少なくとも１のＭＳＣ（Ｍｏｂｉｌｅ  Ｓｗｉｔｃｈｉｎｇ  Ｃｅｎｔｅｒ）１４、ＧＭＳＣ（Ｇａｔｅｗａｙ  ＭＳＣ）１６、およびＧＰＲＳ＿ＨＬＲ（Ｈｏｍｅ  Ｌｏｃａｔｉｏｎ  Ｒｅｇｉｓｔｅｒ）１５を備える。このＣＮ１０は、典型的にはＰＳＴＮ（Ｐｕｂｌｉｃ  Ｓｗｉｔｃｈｅｄ  Ｔｅｌｅｐｈｏｎｅ  Ｎｅｔｗｏｒｋ）１３、およびインターネット１７のような１または２以上のパケットモード通信ネットワークを含む、多様な外部ネットワークと共に、回線交換通信およびパケットデータ通信を提供する。
【００２８】
本発明の好ましい実施形態によれば、通信システムはここでＧＳＭシステムとして表現される。ユーザ端末２０は、移動式電話（携帯電話）、移動端末であるラップトップ、およびこれらのように、ＲＡＮと音声および／またはデータを通信する例えばポータブル、ポケット、ハンドヘルド、コンピュータ埋め込み式、または車載型のモバイル装置などの移動局であってもよい。
【００２９】
ＣＣＣＨは、ネットワークとの専用リンクを確立するために要求される共通手順をサポートする。ＰＣＣＣＨ（Ｐａｃｋｅｔ  Ｃｏｍｍｏｎ  Ｃｏｎｔｒｏｌ  ＣＨａｎｎｅｌ）は、共通制御シグナリングのための論理チャネルからなる。これらのサブチャネルは、ＰＲＡＣＨ（Ｐａｃｋｅｔ  Ｒａｎｄｏｍ  Ａｃｃｅｓｓ  Ｃｈａｎｎｅｌ）、ＰＰＣＨ（Ｐａｃｋｅｔ  Ｐａｇｉｎｇ  ＣＨａｎｎｅｌ）、ＰＡＧＣＨ（Ｐａｃｋｅｔ  Ａｃｃｅｓｓ  Ｇｒａｎｔ  ＣＨａｎｎｅｌ）、およびＰＮＣＨ（Ｐａｃｋｅｔ  Ｎｏｔｆｉｃａｔｉｏｎ  ＣＨａｎｎｅｌ）を含む。
【００３０】
本発明の実施形態によれば、地震および／または津波のリスクがある場合、ＥＴＷＳ一次メッセージは、ＧＥＲＡＮ（Ｐ）ＣＣＣＨ（（Ｐ）ＰＣＨ）または特定のパケットチャネル（（Ｐ）ＣＣＣＨ上でページンググループから直接割り当てられる）において送信され、これにより、ユーザ端末に短期間で到達する。これは、例えば、ＥＴＷＳ通知、および一次通知情報を数（パケット）ページング要求メッセージに含めること、または新たな制御メッセージ「ＥＴＷＳ一次通知」を導入することを示す、新たなモバイル識別子（Ｍｏｂｉｌｅ  Ｉｄｅｎｔｉｔｙ）を、ＧＥＲＡＮパケットチャネル上で送信される（パケット）ページング要求メッセージに取り入れることで達成される。また、ＥＴＷＳ一次通知メッセージのサイズのインジケーションを割当メッセージに取り入れることも提案される。この提案によれば、例えばフェイクＥＴＷＳ警報メッセージの受信を回避するための量のフレキシブルなデジタル署名を含むデータをメッセージに適合させ、ユーザ端末に短期間で到達させることが可能である。
【００３１】
本発明の好ましい第１の実施形態によれば、実際のＥＴＷＳ一次通知情報は、ページング要求メッセージ（３ＧＰＰ  ＴＳ  ４４．０１８）およびパケットページング要求メッセージ（３ＧＰＰ  ＴＳ  ４４．０６０）に含まれてもよい。モバイル識別子は、ＥＴＷＳ一次通知が進行中であることを示す新しいタイプの識別子に設定されるだろう。そして、ＥＴＷＳ一次通知（少なくともその一部）は、ページング要求メッセージ（レストオクテット内（ｒｅｓｔ  ｏｃｔｅｔｓ））、または、ＰＣＣＣＨが用いられる場合にはエクステンションとしてパケットページング要求メッセージ内に含まれる。
【００３２】
ＥＴＷＳ一次通知情報の必要とされるサイズにより、ＥＴＷＳは複数の（パケット）ページング要求メッセージに区分される必要があるだろう。好ましくは、各区分のどのような順序での受信も可能とするために、各ページング要求に含まれるＥＴＷＳ一次通知情報の量は一定にしてもよい。これは、ＥＴＷＳ一次通知情報のみを（パケット）ページング要求メッセージに含め、他の通常のページを含めないことにより達成される。ＥＴＷＳ一次通知情報は通常のページよりも優先されるので、それはＥＴＷＳの進行中において通常のケースとなり得る。ユーザ端末は、自身のページングループ内でＥＴＷＳ一次通知情報（一部）を受信した場合、ｎｏｎ−ＤＲＸモードに移行する。
【００３３】
通常のページが（パケット）ページング要求メッセージ含まれることが必要な場合、新たなモバイル識別子も（パケット）ページング要求メッセージに含まれてもよい（すなわち、ＥＴＷＳ一次通知を示す新たなタイプの識別子と共に）。ユーザ端末は、（Ｐ）ＣＣＣＨ上、より詳細には（Ｐ）ＰＣＨ上の後続の（パケット）ページング要求メッセージ内の実際のＥＴＷＳ一次通知情報を受信するために、ｎｏｎ−ＤＲＸモードに移行する。
【００３４】
例えば緊急割当などの他の制御メッセージ（ＡＧＣＨ）をページンググループ内で送信することが必要とされる場合、ページモードＩＥは「拡張ページング」（３ＧＰＰ  ＴＳ  ４４．０１８にて既存の値）に設定される。それは、ＥＴＷＳ一次通知に関する情報を含むページング要求メッセージが含まれる追加的なページンググループをユーザに受信させるトリガとなる。対応事項はＰＣＣＣＨに適用され得る。
【００３５】
本発明の第２の実施形態によれば、ＢＳＳ／ＢＳＣは、ＥＴＷＳ一次通知の送信要求を受信した場合、各ページンググループ内で（影響のあるセル内で）、進行中のＥＴＷＳ一次通知があることを示す新たなモバイル識別子を含むページング要求メッセージを送信する。このモバイル識別子は、ＥＴＷＳ一次通知が進行中であることを示す新たなタイプの識別子に設定される。そして、３ＧＰＰ＿ＴＳ＿４４．０１８の緊急割当メッセージ（ｉｍｍｅｄｉａｔｅ  ａｓｓｉｇｎｍｎｔ  ｍｅｓｓａｇｅ）（およびＰＵＣＣＨが利用される場合には３ＧＰＰ＿ＴＳ＿４４．０６０のパケットダウンリンク割当メッセージ）は、ＥＴＷＳ一次通知のための割当が送信されるように更新される。このような緊急割当メッセージ（または、ＰＵＣＣＨが利用される場合にはパケットダウンリンク割当メッセージ）を受信したユーザ端末は、ＥＴＷＳ一次通知情報が受信されるだろう示されたリソースに直ちに切り替える。実際のＥＴＷＳ一次通知情報が送信されるチャネルに関する割当情報は、ページング要求メッセージのレストオクテット内（ｒｅｓｔ  ｏｃｔｅｔｓ）、またはＰＵＣＣＨが利用される場合にはパケットページング要求メッセージにエクステンションとして含まれてもよい。
【００３６】
ユーザ端末は、ＥＴＷＳ一次メッセージが進行中であることを示す新たなモバイル識別子を受信すると、ＥＴＷＳ通知情報が送信されるチャネルであるＥＴＷＳ通知チャネルの割当情報を受信するまで、連続受信モード（ｎｏｎ−ｄｉｓｃｏｎｔｉｎｕｏｕｓ  ｒｅｃｅｐｔｉｏｎ）に移行してもよい。例えば、ページング要求メッセージのレストオクテット内（または、パケットページング要求メッセージ）に割当情報を含めることが出来ない場合、ユーザ端末は他のページンググループ内で割当情報を受信できるだろう。
【００３７】
ＥＴＷＳ一次通知期間中にＰＣＨ／ＡＧＣＨ（またはＰＰＣＨ／ＰＡＧＣＨ）上で他の（レガシー）制御メッセージの送信が必要な場合、ページモードＩＥは、「ＥＴＷＳ一次通知」インジケーションが含まれる追加的なページンググループをユーザ端末に受信させるための、既存の値「拡張ページング」に設定される。
【００３８】
ＥＴＷＳ一次通知情報を伝達するために、新たな制御メッセージ「ＥＴＷＳ一次通知」が導入される。好ましくは、このメッセージはパケットチャネル（例えば、ＰＡＣＣＨ）上の分散メッセージとして送信され、複数のユーザ端末により同時に受信されてもよい。ＥＴＷＳ一次通知情報（例えばデジタル署名を含む。）に必要とされるサイズにより、新たな制御メッセージは分割される必要があるだろう。それは、例えば実際に伝達される警報情報のサイズおよびメッセージのシーケンス番号を含めることにより行われてもよい。これにより、受信機（ユーザ端末）がさらなるＥＴＷＳ一次通知制御メッセージを受信する必要があるか否かを把握し、受信済みのメッセージを受信順序と関係なく格納し得る。
【００３９】
メッセージを分割するためのあるオプションは、区分されたブロックの数、または緊急割当メッセージ内の実情報のサイズを示すことであり、ＲＬＣ（Ｒａｄｉｏ  Ｌｉｎｋ  Ｃｏｎｔｒｏｌ）ＢＳＮ（Ｂｌｏｃｋ  Ｓｅｑｕｅｎｃｅ  Ｎｕｍｂｅｒ）値を用いてシーケンス番号を示すことである。
【００４０】
ＰＣＣＣＨが用いられる場合、「ＥＴＷＳ一次通知」メッセージを送信するためのチャネルは、典型的にはＰＣＣＣＨと同じＰＤＣＨ上に設定されてもよい。
【００４１】
本発明の好ましい第３の実施形態によれば、ＣＣＣＨ（より詳細にはＡＧＣＨ）およびＰＣＣＣＨ（ＰＡＧＣＨ）上で送信される新たな「ＥＴＷＳ一次通知」制御メッセージが、それが利用される場合に導入される。ＢＳＣ／ＢＳＳがＥＴＷＳ一次通知の送信を要求された場合、ＢＳＣ／ＢＳＳは新たな「ＥＴＷＳ一次通知」制御メッセージを全てのページンググループの（Ｐ）ＣＣＣＨ上で送信する。ＥＴＷＳ一次通知情報のサイズにより、「ＥＴＷＳ一次通知」制御メッセージは分割されてもよい。
【００４２】
通常のレガシーのページングメッセージまたは制御メッセージを（Ｐ）ＰＣＨ／（Ｐ）ＡＧＣＨ上で送信する必要がある場合、ページモードＩＥは、「ＥＴＷＳ一次通知」メッセージが送信され得る追加的なページンググループをユーザ端末に受信させる既存値「拡張ページング」に設定される。代替手段として、または追加的に、３ＧＰＰ＿ＴＳ＿２４．００８において新たなタイプの識別子（モバイル識別子内で）が導入され得る。このような新たな識別子が（Ｐ）ＣＣＣＨ上の（パケット）ページング要求メッセージで利用されると、ユーザ端末は、ＥＴＷＳ一次通知を受信するためにｎｏｎ−ＤＲＸモードに移行してもよい。これにより、ユーザ端末は、ＥＴＷＳ一次通知を受信し始める前に他のページンググループまで待機する必要がなくなるだろう。
【００４３】
ユーザ端末は、ページングメッセージにおいてＥＴＷＳ一次通知の一部または新たなフラグ／インジケーションを受信した場合、完全なＥＴＷＳ一次通知メッセージを受信するためにｎｏｎ−ＤＲＸモードに移行する。
【００４４】
しかし、この第３の選択肢の欠点は、ＣＣＣＨ／ＡＧＣＨ上で送信される新たな制御メッセージをレガシーのユーザ端末が理解できないであろうことである。３ＧＰＰ＿ＴＳ＿４４．０１８には、「ネットワークは連続的にＣＣＣＨ上の全てのページングサブチャネルで有効なＬ３メッセージを送信することが求められる」と記載されており、ＥＴＷＳ警報の場合に違反される（少なくともレガシーのユーザ端末に対して）要求が存在する。
【００４５】
本発明の第１の実施形態によれば、図２に示したように、ユーザ端末が位置する少なくとも１のセルを提供する通信ネットワークノードにより構成される通信ネットワークシステムにおいてユーザ端末に地震および／または津波警報メッセージを送信する通信ネットワークノードによる手順は以下の通りである。
・ＥＴＷＳ一次通知の送信要求を受信（ステップ２１）；
・ＥＴＷＳ一次通知情報を含むページングリクエストメッセージを送信（ステップ２２）；
・緊急割当メッセージが送信される場合、ページモードＩＥに値「拡張ページング」を設定（ステップ２３）
【００４６】
ある実施形態によれば、上記方法は、地震および／または津波の一次通知警報メッセージを複数のページング要求メッセージに区分するステップをさらに含み、各区分がどのような順序でも受信できるように各ページング要求メッセージに含まれる地震および／または津波の一次通知警報メッセージの量は一定にされる。
【００４７】
ある実施形態によれば、上記方法は、ユーザ端末に、地震および／または津波の一次通知警報メッセージの情報を含むページング要求メッセージの受信のために、追加的なページンググループを受信するトリガとなる制御メッセージを送信するステップをさらに含む。
【００４８】
ある実施形態によれば、警報メッセージに関する情報は、ページング要求メッセージのレストオクテット内に含まれる。
【００４９】
ある実施形態によれば、上記方法は、地震および／または津波警報メッセージが進行中であることを示すモバイル識別子をページング要求メッセージに設定するステップをさらに含む。
【００５０】
本発明の第１の実施形態によれば、図３に示したように、ユーザ端末が位置する少なくとも１のセルを提供する通信ネットワークノードにより構成される通信ネットワークシステムにおいて地震および／または津波警報メッセージを受信するユーザ端末による手順は以下の通りである。
・ページンググループを受信（Ｌｉｓｔｅｎｉｎｇ）（ステップ３１）；
・ＥＴＷＳ通知メッセージと共にページングリクエストを受信（ステップ３２）；
・オプションで、「拡張ページング」に値が設定されたページモードＩＥと共に緊急割当メッセージを受信（ステップ３３）；
・ＥＴＷＳ通知を受信（ステップ３４）
【００５１】
ある実施形態によれば、上記方法は、地震および／または津波の一次通知警報メッセージの少なくとも一部を受信した場合に連続受信モードに移行するステップをさらに含む。
【００５２】
ある実施形態によれば、上記方法はさらに、
・制御メッセージを受信するステップ；
・地震および／または津波の一次通知警報メッセージに関する情報を含むページング要求メッセージを受信するために追加的なページンググループを受信するステップと；
を含む。
【００５３】
本発明の第２の実施形態によれば、図４に示したように、ユーザ端末が位置する少なくとも１のセルを提供する通信ネットワークノードにより構成される通信ネットワークシステムにおいてユーザ端末に地震および／または津波警報メッセージを送信する通信ネットワークノードによる手順は以下の通りである。
・ＥＴＷＳ一次通知の送信要求を受信（ステップ４１）；
・ＥＴＷＳ一次通知が送信される（パケット）チャネルの割当を含む緊急割当メッセージを送信（ステップ４２）；
・ページング要求メッセージが送信される場合、オプションで、ＥＴＷＳが進行中であることを示す新たなモバイル識別子を設定；
・オプションで設定されたモバイル識別子と共にページング要求メッセージを送信（ステップ４３）；
・オプションで、進行中の地震および／または津波警報メッセージのインジゲーションを含む追加的なページンググループをユーザ端末に受信させる「拡張ページング」に設定されたページモードＩＥと共にレガシーの緊急割当メッセージを送信（ステップ４４）。
【００５４】
ある実施形態によれば、無線チャネルの割当に関する情報はページング要求メッセージのレストオクテット内に含まれる。
【００５５】
ある実施形態によれば、地震および／または津波の一次通知警報メッセージが分散メッセージとして送信される場合、上記方法は、ユーザ端末が受信順序に関係なく受信メッセージを格納できるように、警報情報のサイズおよび警報メッセージのシーケンス番号を含めて、地震および／または津波の一次通知警報メッセージを区分するステップをさらに含む。
【００５６】
このため、第２の実施形態によれば、図５に示したように、ユーザ端末が位置する少なくとも１のセルを提供する通信ネットワークノードにより構成される通信ネットワークシステムにおいて地震および／または津波警報メッセージを受信するユーザ端末による手順は以下の通りである。
・ページンググループを受信（Ｌｉｓｔｅｎｉｎｇ）（ステップ５１）；
・ＥＴＷＳ一次通知警報メッセージが送信される無線チャネルの割当を含むＥＴＷ一次通知メッセージを共に緊急割当メッセージを受信し、その無線チャネルに切替え（ステップ５２）；
・オプションで、ＥＴＷＳが進行中であることを示す新たなモバイル識別子が設定されたページング要求メッセージを受信（ステップ５３）；
・オプションで、ユーザ端末に追加的なページンググループを受信させる「拡張ページング」に値が設定されたページモードＩＥと共にレガシーの緊急割当メッセージを受信（ステップ５４）；
・ＥＴＷＳ通知を受信（ステップ５５）。
【００５７】
ある実施形態によれば、上記方法は、上記モバイル識別子を受信した場合に連続受信モードに移行するステップをさらに含む。
【００５８】
ある実施形態によれば、地震および／または津波一次通知警報メッセージは制御チャネル上で送信される。
【００５９】
図６は、ユーザ端末２が位置する少なくとも１のセルを提供する通信ネットワークノード６５により構成される通信ネットワークシステムにおいて地震および／または津波警報メッセージを送受信する、ユーザ端末２、および、図１に示したＢＴＳ８（すなわち、無線基地局）、ＢＳＣ６、またはＢＳＳ５のような通信ネットワークノード６５を示すブロック図である。
【００６０】
通信ネットワークノード６５は、無線送信機を含む送信部６２および受信部６１を備える。送信部６２は、ダウンリンクチャネル６８上の無線インタフェースを介してユーザ端末２の受信部６７にデータを送信する。受信部６１は、アップリンクチャネル６９上でユーザ端末２からデータを受信する。通信ネットワークノード６５は、さらに、地震および／または津波警報メッセージの送信要求を受信する通信部６４を備える。通信ネットワークノード６５は、処理部６３も備える。
【００６１】
ユーザ端末２は、アップリンクチャネル６９条で無線インタフェースを介して通信ネットワークノード６５の受信部６１にデータパケットを送信する無線送信機を含む送信部４６、および、ダウンリンクチャネル６８上で通信ネットワークノード６５の送信部６２から送信されたデータパケットを受信する受信部６７を備える。ユーザ端末は、ページンググループを受信（ｌｉｓｔｅｎ）するように構成される。
【００６２】
当業者であれば、図６には示されていないものの、通信ネットワークノードがＢＳＳ／ＢＳＣである場合、ユーザ端末との通信はＢＴＳを介して送信されることを理解する。
【００６３】
ある実施形態によれば、通信ネットワークノードの送信部は、ページング要求メッセージ内で地震および／または津波一次通知警報メッセージを送信するように構成される。
【００６４】
ある実施形態によれば、処理部は、地震および／または津波一次通知警報メッセージを複数のページング要求メッセージに区分し、これにより、各区分がどのような順序でも受信できるように各ページング要求メッセージに含まれる地震および／または津波の一次通知警報メッセージの量は一定にされる。
【００６５】
ある実施形態によれば、通信ネットワークノードの送信部は、地震および／または津波の一次通知警報メッセージに関する情報を含むページング要求メッセージの受信のためにユーザ端末に追加的なページンググループを受信させる制御メッセージを送信するように構成される。
【００６６】
ある実施形態によれば、警報メッセージに関する情報は、ページング要求メッセージのレストオクテット内に含まれる。
【００６７】
ある実施形態によれば、処理部は、地震および／または津波警報メッセージが進行中であることを示すモバイル識別子をページング要求メッセージに設定するように構成される。
【００６８】
ある実施形態によれば、ユーザ端末の受信部は、ページング要求メッセージ内で地震および／または津波一次通知警報メッセージをするように構成される。
【００６９】
ある実施形態によれば、ユーザ端末は、地震および／または津波一次通知警報メッセージの少なくとも一部を受信した場合に連続受信モードに移行するよう構成される。
【００７０】
ある実施形態によれば、ユーザ端末の受信部は、地震および／または津波一次通知警報メッセージに関する情報を含むページング要求メッセージの受信のためにユーザ端末が追加的なページンググループを受信するようにする制御メッセージを受信する。
【００７１】
ある実施形態によれば、通信ネットワークノードの送信部は、地震および／または津波一次通知警報メッセージの割当を含む緊急割当メッセージ、および地震および／または津波警報メッセージを送信するように構成される。
【００７２】
ある実施形態によれば、ページング要求メッセージが送信される場合には通信ネットワークノードの通信部がページング要求メッセージを送信し、レガシーの緊急割当メッセージが送信される場合には進行中の地震および／または津波警報メッセージのインジケーションを含む追加的なページンググループをユーザ端末に受信させる「拡張ページング」にページモードＩＥを処理部が設定する
【００７３】
ある実施形態によれば、処理部は、地震および／または津波警報メッセージが進行中であることを示すモバイル識別子をページング要求メッセージに設定するように構成される。
【００７４】
ある実施形態によれば、無線チャネルの割当に関する情報は、ページング要求メッセージのレストオクテット内に含まれる。
【００７５】
ある実施形態によれば、ユーザ端末が受信順序に関係なく受信メッセージを格納できるように、地震および／または津波一次通知警報メッセージを、警報情報のサイズおよび警報メッセージのシーケンス番号を含めることにより処理部が区分することによって、地震および／または津波一次通知警報メッセージを分散メッセージとして送信する。
【００７６】
ある実施形態によれば、ユーザ端末の受信部は地震および／または津波一次通知警報メッセージが送信される無線チャネルの割当を含む緊急割当メッセージを受信し、ユーザ端末はその無線チャネルに切替え、受信部は地震および／または津波警報メッセージを受信する。
【００７７】
ある実施形態によれば、ユーザ端末の受信部は、
・通信ネットワークノードからページング要求メッセージが送信された場合にページング要求メッセージを受信し；
・そうでなければ、ユーザ端末に追加的なページンググループを受信させる拡張ページングを含むレガシーの緊急割当メッセージを受信する。
【００７８】
ある実施形態によれば、ユーザ端末の受信部は、地震および／または津波警報メッセージが進行中であることを示すように設定されたモバイル識別子を含むページング要求メッセージを受信する。
【００７９】
ある実施形態によれば、ユーザ端末は、上記モバイル識別子を受信した場合に連続受信モードに移行する。
【００８０】
ある実施形態によれば、通信ネットワークノードの送信部は、制御チャネル上で地震および／または津波一次通知警報メッセージを送信するように構成される。
【００８１】
ある実施形態によれば、ユーザ端末の受信部は、地震および／または津波一次通知警報メッセージを制御チャネル上で受信するように構成される。
【００８２】
当然のことながら、上述した手順の少なくとも一部は、送信機と受信機の間のチャネルの時間変化特性に対応するために必要に応じて繰り返し実行される。理解の助けのために、例えばプログラム可能なコンピュータシステムの要素により実行されるアクションのシーケンスに関して本発明の多様な観点を説明した。多くのアクションは、特別な回路（例えば、特定の機能を実行するために相互接続された個別の論理ゲート、または特定用途向け集積回路）、または１または２以上のプロセッサにより実行されるプログラム命令、またはこれらの組み合わせにより実行される。
【００８３】
さらに、本発明は、コンピュータベースシステム、プロセッサ包含システム、または媒体から命令を読み出して命令を実行可能な他のシステムのような、命令実行システム、装置またはデバイスによる、または関連する利用のための適切な命令のセットが記憶されたコンピュータ読取可能な記憶媒体のあらゆる形態の範囲内で完全に具現されると考えることができる。ここで「コンピュータ読取可能な記憶媒体」という用語は、命令実行システム、装置またはデバイスによる、または関連する利用のためのプログラムを含む、格納する、通信する、伝達するまたは運ぶことが可能な、どのような手段であってもよい。例えば、コンピュータ読取可能な記憶媒体は、これに限定されないが、電気的、磁気的、光学的、電磁気的、赤外線、または半導体システム、装置またはデバイスであってもよい。コンピュータ読取可能な記憶媒体のより詳細な例は（包括的でないリスト）、１または２以上のワイヤを有する電気的接合、ポータブルコンピュータディスケット、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）またはフラッシュメモリ、光ファイバ、およびポータブルＣＤ−ＲＯＭ（Ｃｏｍｐａｃｔ  Ｄｉｓｃ  Ｒｅａｄ  Ｏｎｌｙ  Ｍｅｍｏｒｙ）を含む。
【００８４】
以上、好ましい実施形態に適して本発明の基礎的な新規特徴を図示、説明および指摘したが、当業者であれば、本発明の精神を逸脱せずに、図示された装置およびその処理の詳細を多様に省略、置換および変形できることが理解される。例えば、同一の結果を得るための、実質的に同一な方法において実質的に同一の機能を実行する要素および／または方法ステップの全ての組み合わせが本発明の範囲内であることは明確に意図される。さらに、本発明の開示されたいずれの形または実施形態に関連して図示および／または説明された構成、および／または要素、および／または方法ステップは、設計選択の一般事項として他の開示された、または説明された、または提案された形または実施形態に組み込まれ得る。したがって、ここに添付された特許請求の範囲の記載にのみ限定されることが意図である。
【００８５】
本発明を説明および要求するために用いられた「含む」、「備える」、「組み込む」、「からなる」、「有する」、「は」、のような表現は、非排他的な方法、すなわち、明示的に示されていないが存在するだろうアイテム、コンポーネントまたはエレメントも考慮する方法により解釈されるべきである。単数形への言及について複数形として解釈されることもあり、その逆もまた同様である。
【００８６】
添付の請求項において括弧書き内に含まれる符号は、請求項の理解を助けるために用いられ、これらの請求項により要求される構成要件が限定される方法で解釈されるものではない。
【図１】
2011521531.tif 000003
【図２】
2011521531.tif 000004
【図３】
2011521531.tif 000005
【図４】
2011521531.tif 000006
【図５】
2011521531.tif 000007
【図６】
2011521531.tif 000008
【国際調査報告】
2011521531.tif 000009
2011521531.tif 000010
2011521531.tif 000011